【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】
式（Ｉ）：
【化１】
2001517652.tif 000001
｛式中、
ＸはＮ、ＣＨまたはＣＣＨ３であり；
Ｒ１は水素、ニトロ、カルボキシアミド、イソプロピル、ヒドロキシメチル、ピリジン−４−イルエチル、エトキシカルボニル、ヨード、イソブチル、２−メチル−プロペニル、２−メチル−１−ブテニル、２−メチル−２−ブテニル、２−メチルブチル、シクロブチル−メチル、シクロブチリデンメチル、４−ヒドロキシフェニル−エチル、４−ヒドロキシフェニル−ビニル、フェノキシ、イソプロポキシ、ピラゾール−３−イル、メチルまたはクロロであり；
Ｒ２は水素、オキサゾール−５−イル、ペンタフルオロフェノキシカルボニル、ニトロ、ヒドロキシ、メトキシ、メチル、トリアゾール−１−イル、スルホネート、カルボキシアミド、メトキシカルボニル、ブロモ、ヨード、アミノスルホニル、メチルスルホニル、メチルアミノスルホニル、メチルオキシム、フェニル、Ｎ，Ｎ−ジメチルアミノカルボニル、Ｎ−フラン−２−イルメチルアミノカルボニル、Ｎ−（Ｎ−モルホリノ）エチルアミノカルボニル、Ｎ−（１，５−ジメトキシベンジル）アミノカルボニル、Ｎ−（イミダゾール−１−イル）エチルアミノカルボニル、Ｎ−（イミダゾール−１−イル）プロピルアミノカルボニル、Ｎ−（メトキシエチル）アミノカルボニル、Ｎ−（ヒドロキシエチル）アミノカルボニル、Ｎ−（ヒドロキシプロピル）アミノカルボニル、Ｎ−（３−ヒドロキシ−２，２−ジメチルプロピル）アミノカルボニル、Ｎ−（ピリド−３−イルメチル）アミノカルボニル、第四級アンモニウム、メチルカルボニルアミノまたはイソブトキシカルボニルであり；
あるいは、Ｒ１およびＲ２は結合してチアゾール、ピラゾール、トリアゾール、ピリジル、３−クロロピラゾールまたはジヒドロピロロ環を形成し；
Ｒ３は水素、ブロモ、クロロ、メチル、エチル、イソプロピル、ヒドロキシ、ヒドロキシメチル、フェノキシまたはエトキシであり；
あるいは、Ｒ２およびＲ３は結合して２−メチル−１，３−オキサゾール、ジヒドロピロール、Ｎ−アセチルジヒドロピロールまたはジオキソラン環を形成し；
Ｒ４はＮＨ基に対しフェニル環のパラ位にあり、アミノスルホニル、Ｎ−メチルアミノスルホニル、メチルスルホニル、Ｎ，Ｎ−ジメチルアミノスルホニル、アミノスルホニルアミノ、Ｎ−ヒドロキシエトキシエチルアミノスルホニル、Ｎ−ヒドロキシエチルアミノスルホニル、Ｎ−（３−ヒドロキシ−２，２−ジメチル−プロピル）アミノスルホニル−メチル、Ｎ−メチルアミノスルホニル−メチル、インダゾール−６−イルアミノスルホニル、チアゾール−２−イルアミノスルホニル、Ｎ−アミノ−イミノメチル−アミノスルホニル、Ｎ−ピリド−２−イルアミノスルホニル、アミノスルホニル−メチル、Ｎ−アリルアミノスルホニル−メチル、メチルスルホニルメチル、Ｎ−（３−ヒドロキシ−２，２−ジメチル−プロピル）アミノスルホニル、Ｎ−（３−トリフルオロメチルフェニル）アミノスルホニル、Ｎ−ピリミジン−２−イルアミノスルホニル、Ｎ−（５−メチル−チアジアゾール−２−イル）アミノスルホニル、Ｎ−メチルカルボニルアミノスルホニル、Ｎ−フェニルカルボニルアミノスルホニル、Ｎ−ヒドロキシエトキシエチル−Ｎ−メチルアミノスルホニル、Ｎ−メトキシエトキシエトキシエトキシエチル−アミノスルホニルおよびＮ−（ピリジン−４−イル−メチル）アミノスルホニルであり；
Ｒ５は水素であり；
あるいは、Ｒ４およびＲ５は結合してピラゾール、トリアゾールまたはジヒドロチオフェン−１，１−ジオン環を形成する；
（ただし、Ｒ１、Ｒ２およびＲ３は同時に各々水素ではあり得ない）｝
で示される化合物、および結晶または非晶質のいずれかの形態である、その医薬上許容される塩、生加水分解性エステル、生加水分解性アミド、生加水分解性カルバメート、溶媒和物、または、水和物。
【請求項２】
４−［Ｎ’−（４−ニトロ−２−オキソ−１，２−ジヒドロ−インドール−３−イリデン）−ヒドラジノ］−ベンゼンスルホンアミド；
４−［Ｎ’−（４−イソプロピル−２−オキソ−１，２−ジヒドロ−インドール−３−イリデン）−ヒドラジノ］−ベンゼンスルホンアミド；
４−［（４−ヒドロキシメチル−２−オキソ−１，２−ジヒドロ−インドール−３−イリデンメチル）−アミノ］−Ｎ−メチル−ベンゼンスルホンアミド；
４−｛Ｎ’−［２−オキソ−４−（２−ピリジン−４−イル−エチル）−１，２−ジヒドロ−インドール−３−イリデン］−ヒドラジノ｝−ベンゼンスルホンアミド；
２−オキソ−３−（４−スルファモイル−フェニルアミノ−メチレン）−２，３−ジヒドロ−１Ｈ−インドール−４−カルボン酸エチルエステル；
４−［Ｎ’−（４−ヨード−２−オキソ−１，２−ジヒドロ−インドール−３−イリデン）−ヒドラジノ］−ベンゼンスルホンアミド；
４−［Ｎ’−（４−イソブチル−２−オキソ−１，２−ジヒドロ−インドール−３−イリデン）−ヒドラジノ］−ベンゼンスルホンアミド；
４−｛Ｎ’−［４−（２−メチル−プロペニル）−２−オキソ−１，２−ジヒドロ−インドール−３−イリデン］−ヒドラジノ｝−ベンゼンスルホンアミド；
４−｛Ｎ’−［４−（２−メチル−１−ブテニル）−２−オキソ−１，２−ジヒドロ−インドール−３−イリデン］−ヒドラジノ｝−ベンゼンスルホンアミド；
４−｛Ｎ’−［４−（２−メチル−ブテニル）−２−オキソ−１，２−ジヒドロ−インドール−３−イリデン］−ヒドラジノ｝−ベンゼンスルホンアミド；
４−｛Ｎ’−［４−（２−メチルブチル）−２−オキソ−１，２−ジヒドロ−インドール−３−イリデン］−ヒドラジノ｝−ベンゼンスルホンアミド；
４−［Ｎ’−（４−シクロブチルメチル−２−オキソ−１，２−ジヒドロ−インドール−３−イリデン）−ヒドラジノ］−ベンゼンスルホンアミド；
４−［Ｎ’−（４−シクロブチリデンメチル−２−オキソ−１，２−ジヒドロ−インドール−３−イリデン）−ヒドラジノ］−ベンゼンスルホンアミド；
４−（Ｎ’−｛４−［２−（４−ヒドロキシフェニル）−エチル］−２−オキソ−１，２−ジヒドロ−インドール−３−イリデン｝−ヒドラジノ）−ベンゼンスルホンアミド；
４−（Ｎ’−｛４−［２−（４−ヒドロキシフェニル）−ビニル］−２−オキソ−１，２−ジヒドロ−インドール−３−イリデン｝−ヒドラジノ）−ベンゼンスルホンアミド；
４−［Ｎ’−（２−オキソ−４−フェノキシ−１，２−ジヒドロ−インドール−３−イリデン）−ヒドラジノ］−ベンゼンスルホンアミド；
４−［Ｎ’−（４−イソプロポキシ−２−オキソ−１，２−ジヒドロ−インドール−３−イリデン）−ヒドラジノ］−ベンゼンスルホンアミド；
４−｛Ｎ’−［２−オキソ−４−（１Ｈ−ピラゾール−３−イル）−１，２−ジヒドロ−インドール−３−イリデン］−ヒドラジノ｝−ベンゼンスルホンアミド；
４−［（５−オキサゾール−５−イル−２−オキソ−１，２−ジヒドロ−インドール−３−イリデンメチル）−アミノ］ベンゼンスルホンアミド；
２−オキソ−３−［（４−スルファモイル−フェニル）−ヒドラゾン］−２，３−ジヒドロ−１Ｈ−インドール−５−カルボン酸２，３，４，５，６−ペンタフルオロフェニルエステル；
４−［Ｎ’−（５−ニトロ−２−オキソ−１，２−ジヒドロ−インドール−３−イリデン）−ヒドラジノ］−ベンゼンスルホンアミド；
４−［Ｎ’−（５−ヒドロキシ−２−オキソ−１，２−ジヒドロ−インドール−３−イリデン）−ヒドラジノ］−ベンゼンスルホンアミド；
４−［Ｎ’−（５−メチル−２−オキソ−１，２−ジヒドロ−インドール−３−イリデン）−ヒドラジノ］−ベンゼンスルホンアミド；
Ｎ−メチル−４−［Ｎ’−（２−オキソ−５−［１，２，４］トリアゾール−１−イル−１，２−ジヒドロ−インドール−３−イリデン）−ヒドラジノ］−ベンゼンスルホンアミド；
２−オキソ−３−［（４−スルファモイル−フェニル）−ヒドラゾノ］−２，３−ジヒドロ−１Ｈ−インドール−５−スルホン酸ナトリウム塩；
３−［（４−メチルスルファモイル−フェニル）−ヒドラゾノ］−２−オキソ−２，３−ジヒドロ−１Ｈ−インドール−５−カルボン酸アミド；
２−オキソ−３−（４−スルファモイル−フェニルアミノ−メチレン）−２，３−ジヒドロ−１Ｈ−インドール−５−カルボン酸メチルエステル；
５−ブロモ−３−［（４−メチルスルホニル−フェニル）−ヒドラゾノ］−１，３−ジヒドロ−インドール−２−オン；
３−（３Ｈ−ベンゾトリアゾール−５−イルアミノ−メチレン）−５−ヨード−１，３−ジヒドロ−インドール−２−オン；
２−オキソ−３−［（４−スルファモイル−フェニル）−ヒドラゾノ］−２，３−ジヒドロ−１Ｈ−インドール−５−スルホン酸アミド；
４−［Ｎ’−（５−メチルスルホニル−２−オキソ−１，２−ジヒドロ−インドール−３−イリデン）−ヒドラジノ］−ベンゼンスルホンアミド；
３−［（４−メチルスルファモイル−フェニル）−ヒドラゾノ］−２−オキソ−２，３−ジヒドロ−１Ｈ−インドール−５−スルホン酸メチルアミド；
４−｛Ｎ’−［５−（１−ヒドロキシイミノ−エチル）−２−オキソ−１，２−ジヒドロ−インドール−３−イリデン］−ヒドラジノ｝−Ｎ−メチル−ベンゼンスルホンアミド；
４−［１−（５−オキサゾール−５−イル−２−オキソ−１，２−ジヒドロ−インドール−３−イリデン）−エチルアミノ］−ベンゼンスルホンアミド；
Ｎ，Ｎ−ジメチル−４−［（５−オキサゾール−５−イル−２−オキソ−１，２−ジヒドロ−インドール−３−イリデンメチル）−アミノ］−ベンゼンスルホンアミド；
４−［１−（５−オキサゾール−５−イル−２−オキソ−１，２−ジヒドロ−インドール−３−イリデン）−ヒドラジノ］−ベンゼンスルホンアミド；
４−［（２−オキソ−５−フェニル−１，２−ジヒドロ−インドール−３−イリデンメチル）−アミノ］−ベンゼンスルホンアミド；
２−オキソ−３［（４−スルファモイル−フェニル）−ヒドラゾノ］−２，３−ジヒドロ−１Ｈ−インドール−５−カルボン酸ジメチルアミド；
２−オキソ−３−［（４−スルファモイル−フェニル）−ヒドラゾノ］−２，３−ジヒドロ−１Ｈ−インドール−５−カルボン酸（フラン−２−イルメチル）−アミド；
２−オキソ−３−［（４−スルファモイル−フェニル）−ヒドラゾノ］−２，３−ジヒドロ−１Ｈ−インドール−５−カルボン酸−２，６−ジメトキシ−ベンジルアミド；
２−オキソ−３［（４−スルファモイル−フェニル）−ヒドラゾノ］−２，３−ジヒドロ−１Ｈ−インドール−５−カルボン酸（２−モルホリン−４−イル−エチル）−アミド；
２−オキソ−３−［（４−スルファモイル−フェニル）−ヒドラゾノ］−２，３−ジヒドロ−１Ｈ−インドール−５−カルボン酸（２−イミダゾール−１−イル−エチル）−アミド；
２−オキソ−３−［（４−スルファモイル−フェニル）−ヒドラゾノ］−２，３−ジヒドロ−１Ｈ−インドール−５−カルボン酸（３−イミダゾール−１−イル−プロピル）−アミド；
２−オキソ−３−［（４−スルファモイル−フェニル）−ヒドラゾノ］−２，３−ジヒドロ−１Ｈ−インドール−５−カルボン酸（２−メトキシエチル）−アミド；
２−オキソ−３−［（４−スルファモイル−フェニル）−ヒドラゾノ］−２，３−ジヒドロ−１Ｈ−インドール−５−カルボン酸（２−ヒドロキシエチル）−アミド；
２−オキソ−３−［（４−スルファモイル−フェニル）−ヒドラゾノ］−２，３−ジヒドロ−１Ｈ−インドール−５−カルボン酸（３−ヒドロキシプロピル）−アミド；
２−オキソ−３−［（４−スルファモイル−フェニル）−ヒドラゾノ］−２，３−ジヒドロ−１Ｈ−インドール−５−カルボン酸（３−ヒドロキシ−２，２−ジメチルプロピル）−アミド；
２−オキソ−３−［（４−スルファモイル−フェニル）−ヒドラゾノ］−２，３−ジヒドロ−１Ｈ−インドール−５−カルボン酸（ピリジン−３−イルメチル）−アミド；
２−オキソ−３−［（４−スルファモイル−フェニル）−ヒドラゾノ］−２，３−ジヒドロ−１Ｈ−インドール−５−カルボン酸（ピリジン−４−イルメチル）−アミド；
４−［Ｎ’−（５−メトキシ−２−オキソ−１，２−ジヒドロ−インドール−３−イリデン）−ヒドラジノ］−ベンゼンスルホンアミド；
４−［Ｎ’−（５−アミノ−２−オキソ−１，２−ジヒドロ−インドール−３−イリデン）−ヒドラジノ］−ベンゼンスルホンアミドヒドロクロリド；
４−［Ｎ’−（６−エチル−２−オキソ−１，２−ジヒドロ−インドール−３−イリデン）−ヒドラジノ］−ベンゼンスルホンアミド；
Ｎ−｛４−［（２−オキソ−１，２−ジヒドロ−インドール−３−イリデンメチル）−アミノ］−フェニル｝スルファミド；
４−［（６−ヒドロキシメチル−２−オキソ−１，２−ジヒドロ−インドール−３−イリデンメチル）−アミノ］−ベンゼンスルホンアミド；
４−［Ｎ’−（６−ブロモ−２−オキソ−１，２−ジヒドロ−インドール−３−イリデン）−ヒドラジノ］−ベンゼンスルホンアミド；
４−［Ｎ’−（２−オキソ−６−フェノキシ−１，２−ジヒドロ−インドール−３−イリデン）−ヒドラジノ］−ベンゼンスルホンアミド；
４−［Ｎ’−（６−エトキシ−２−オキソ−１，２−ジヒドロ−インドール−３−イリデン）−ヒドラジノ］−ベンゼンスルホンアミド；
Ｎ−［２−（２−ヒドロキシエトキシ）エチル］−４−［７−オキソ−６，７−ジヒドロ−１−チア−３，６−ジアザ−アズ−インダセン−８−イリデンメチル）−アミノ］ベンゼンスルホンアミド；
Ｎ−［２−（２−ヒドロキシエチル）］−４−［７−オキソ−６，７−ジヒドロ−１−チア−３，６−ジアザ−アズ−インダセン−８−イリデンメチル）−アミノ］ベンゼンスルホンアミド；
Ｎ−メチル−４−［Ｎ’−（４−メチル−５−ニトロ−２−オキソ−１，２−ジヒドロ−インドール−３−イリデン）−ヒドラジノ］−ベンゼンスルホンアミド；
４−［Ｎ’−（７−オキソ−６，７−ジヒドロ−３Ｈ−ピロロ［３，２−ｅ］インダゾール−８−イリデン）−ヒドラジノ］−ベンゼンスルホンアミド；
４−［Ｎ’−（７−オキソ−６，７−ジヒドロ−１Ｈ−ピロロ［２，３−ｇ］インダゾール−８−イリデン）−ヒドラジノ］−ベンゼンスルホンアミド；
４−［Ｎ’−（７−オキソ−６，７−ジヒドロ−３Ｈ−１，２，３，６−テトラアザ−アズ−インダセン−８−イリデン）−ヒドラジノ］−ベンゼンスルホンアミド；
４−［Ｎ’−（１−クロロ−７−オキソ−６，７−ジヒドロ−３Ｈ−ピロロ［３，２−ｅ］インダゾール−８−イリデン）−ヒドラジノ］−ベンゼンスルホンアミド；
４−［Ｎ’−（１，７−ジオキソ−２，３，６，７−テトラヒドロ−１Ｈ−２，６−ジアザ−アズ−インダセン−８−イリデン）−ヒドラジノ］−Ｎ−メチル−ベンゼンスルホンアミド；
Ｎ−（３−ヒドロキシ−２，２−ジメチル−プロピル）−Ｃ−｛４−［（７−オキソ−６，７−ジヒドロ−１−チア−３，６−ジアザ−アズ−インダセン−８−イリデンメチル）−アミノ］−フェニル｝−メタンスルホンアミド；
Ｎ−メチル−Ｃ−｛４−［Ｎ’−（２−オキソ−２，３−ジヒドロ−ピロロ［３，２−ｆ］キノリン−１−イリデン）−ヒドラジノ］−フェニル｝−メタンスルホンアミド；
Ｎ−（１Ｈ−インダゾール−６−イル）−４−［（７−オキソ−６，７−ジヒドロ−１−チア−３，６−ジアザ−アズ−インダセン−８−イリデンメチル）−アミノ］−ベンゼンスルホンアミド；
４−［（７−オキソ−６，７−ジヒドロ−１−チア−３，６−ジアザ−アズ−インダセン−８−イリデンメチル）−アミノ］−Ｎ−チアゾール−２−イル−ベンゼンスルホンアミド；
Ｎ−（アミノ−イミノ−メチル）−４−［（７−オキソ−６，７−ジヒドロ−１−チア−３，６−ジアザ−アズ−インダセン−８−イリデンメチル）−アミノ］−ベンゼンスルホンアミド；
４−［（７−オキソ−６，７−ジヒドロ−１−チア−３，６−ジアザ−アズ−インダセン−８−イリデンメチル）−アミノ］−Ｎ−ピリジン−２−イル−ベンゼンスルホンアミド；
８−［（２，２−ジオキソ−１，３−ジヒドロ−ベンゾ［ｃ］チオフェン−５−イルアミノ−メチレン）−６，８−ジヒドロ−１−チア−３，６−ジアザ−アズ−インダセン−７−オン；
｛４−［（７−オキソ−６，７−ジヒドロ−１−チア−３，６−ジアザ−アズ−インダセン−８−イリデンメチル）−アミノ］−フェニル｝−メタンスルホンアミド；
Ｎ−アリル−Ｃ−｛４−［（７−オキソ−６，７−ジヒドロ−１−チア−３，６−ジアザ−アズ−インダセン−８−イリデンメチル）−アミノ］−フェニル  ｝−メタンスルホンアミド；
８−（４−メチルスルホニルメチル−フェニルアミノ−メチレン）−６，８−ジヒドロ−１−チア−３，６−ジアザ−アズ−インダセン−７−オン；
Ｎ−（３−ヒドロキシ−２，２−ジメチル−プロピル）−４−［（７−オキソ−６，７−ジヒドロ−１−チア−３，６−ジアザ−アズ−インダセン−８−イリデンメチル）−アミノ］−ベンゼンスルホンアミド；
４−［（７−オキソ−６，７−ジヒドロ−１−チア−３，６−ジアザ−アズ−インダセン−８−イリデンメチル）−アミノ］−Ｎ−（３−トリフルオロメチル−フェニル）−ベンゼンスルホンアミド；
４−［（７−オキソ−６，７−ジヒドロ−１−チア−３，６−ジアザ−アズ−インダセン−８−イリデンメチル）−アミノ］−Ｎ−ピリミジン−２−イル−ベンゼンスルホンアミド；
Ｎ−（５−メチル−［１，３，４］チアジアゾール−２−イル）−４−（７−オキソ−６，７−ジヒドロ−１−チア−３，６−ジアザ−アズ−インダセン−８−イリデンメチル）−アミノ］−ベンゼンスルホンアミド；
Ｎ−アセチル−４−［（７−オキソ−６，７−ジヒドロ−１−チア−３，６−ジアザ−アズ−インダセン−８−イリデンメチル）−アミノ］−ベンゼンスルホンアミド；
Ｎ−ベンゾイル−４−［（７−オキソ−６，７−ジヒドロ−１−チア−３，６−ジアザ−アズ−インダセン−８−イリデンメチル）−アミノ］−ベンゼンスルホンアミド；
Ｎ−メチル−４−｛Ｎ’（７−オキソ−６，７−ジヒドロ−１−チア−３，６−ジアザ−アズ−インダセン−８−イリデン）−ヒドラジノ］−ベンゼンスルホンアミド；
Ｎ−［２−（２−ヒドロキシ−エトキシ）−エチル］−Ｎ−メチル−４−［（７−オキソ−６，７−ジヒドロ−１−チア−３，６−ジアザ−アズ−インダセン−８−イリデンメチル）−アミノ］−ベンゼンスルホンアミド；
Ｎ−（２−｛２−［２−（２−メトキシ−エトキシ）−エトキシ］−エトキシ｝−エチル）−４−［（７−オキソ−６，７−ジヒドロ−１−チア−３，６−ジアザ−アズ−インダセン−８−イリデンメチル）−アミノ］−ベンゼンスルホンアミド；
４−［Ｎ’−（５，６−ジメチル−２−オキソ−１，２−ジヒドロ−インドール−３−イリデン）−ヒドラジノ］−ベンゼンスルホンアミド；
Ｎ−｛６−ヒドロキシ−３−［（４−メチルスルファモイルメチル−フェニル）−ヒドラゾノ］−２−オキソ−２，３−ジヒドロ−１Ｈ−インドール−５−イル｝−アセトアミド；
４−［Ｎ’−（６−クロロ−５−メトキシ−２−オキソ−１，２−ジヒドロ−インドール−３−イリデン）−ヒドラジノ］ベンゼンスルホンアミド；
４−［Ｎ’−（５−ヒドロキシ−６−イソプロピル−２−オキソ−１，２−ジヒドロ−インドール−３−イリデン）−ヒドラジノ］ベンゼンスルホンアミド；
４−［Ｎ’−（２−メチル−６−オキソ−５，６−ジヒドロ−３−オキサ−１，５−ジアザ−ｓ−インダセン−７−イリデン）−ヒドラジノ］−ベンゼンスルホンアミド；
４−［Ｎ’−（５−アセチル−２−オキソ−２，５，６，７−テトラヒドロ−１Ｈ−ピロロ［２，３−ｆ］インドール−３−イリデン）−ヒドラジノ］−ベンゼンスルホンアミド；
４−［Ｎ’−（６−オキソ−５，６−ジヒドロ−［１，３］−ジオキソロ［４，５−ｆ］インドール−７−イリデン）−ヒドラジノ］−ベンゼンスルホンアミド；
４−［Ｎ’−（２−オキソ−２，５，６，７−テトラヒドロ−１Ｈ−ピロロ［２，３−ｆ］インドール−３−イリデン）−ヒドラジノ］−ベンゼンスルホンアミドヒドロブロミド；
Ｃ−｛４−［Ｎ’−（４，６−ジクロロ−５−メトキシ−２−オキソ−１，２−ジヒドロ−インドール−３−イリデン）−ヒドラジノ］−フェニル｝−Ｎ−メチル−メタンスルホンアミド；
４−［Ｎ’−（４−クロロ−５−ヒドロキシ−６−メチル−２−オキソ−１，２−ジヒドロ−インドール−３−イリデン）−ヒドラジノ］−ベンゼンスルホンアミド；
４−［Ｎ’−（５−ヒドロキシ−４，６−ジメチル−２−オキソ−１，２−ジヒドロ−インドール−３−イリデン）−ヒドラジノ］−ベンゼンスルホンアミド；
３−（１Ｈ−インダゾール−５−イルアミノ−メチレン）−１，３−ジヒドロ−インドール−２−オン；
３−［（１Ｈ−インダゾール−６−イル）−ヒドロラゾン］−１，３−ジヒドロ−インドール−２−オン；
Ｃ−｛４−［Ｎ’−（５−ヒドロキシ−４，６−ジメチル−２−オキソ−１，２−ジヒドロ−インドール−３−イリデン）−ヒドラジノ］−フェニル｝−Ｎ−メチル−メタンスルホンアミド；
Ｎ−メチル−４−［（５−オキサゾール−５−イル−２−オキソ−１，２−ジヒドロ−インドール−３−イリデンメチル）−アミノ］−フェニルメタンスルホンアミド；
８−（３Ｈ−ベンゾトリアゾール−５−イルアミノメチレン）−６，８−ジヒドロ−１−チア−３，６−ジアザ−アズ−インダセン−７−オン；
４−［Ｎ’−２−オキソ−２，３−ジヒドロピロロ［３，２−ｆ］キノリン−１−イリデン）ヒドラジノ］−ベンゼンスルホンアミド；
２−オキソ−３−（４−スルファモイル−フェニルアミノ−メチレン）−２，３−ジヒドロ−１Ｈ−インドール−５−カルボン酸イソブチルエステル；
４−［（７−オキソ−６，７−ジヒドロ−１−チア−３，６−ジアザ−アズ−インダセン−８−イリデンメチル）アミノ］−Ｎ−ピリジニル−４−イル−メチルベンゼンスルホンアミド
からなる群から選択される請求項１記載の化合物、および結晶または非晶質のいずれかの形態である、その医薬上許容される塩、生加水分解性エステル、生加水分解性アミド、生加水分解性カルバメート、溶媒和物、または水和物。
【請求項３】
【化２】
2001517652.tif 000002
からなる群から選択される、請求項１または２記載の化合物。
【請求項４】
医薬上許容される担体と、薬理学上有効な量の請求項１〜３のいずれか一項に記載の化合物を含んでなる医薬組成物。
【請求項５】
サイクリン依存性キナーゼによって媒介される疾病を治療する医薬の製造における、請求項１〜３のいずれか一項に記載の化合物の使用。
【請求項６】
臓器移植の拒絶反応を処置する、腫瘍の増殖を阻害する、化学療法誘発性血小板減少症または化学療法誘発性白血球減少症を治療する、あるいは粘膜炎、再狭窄、アテローム性動脈硬化症、慢性関節リウマチ、血管形成、肝硬変、糸球体腎炎、糖尿病性腎症、悪性腎硬化症、血栓性微小血管障害症候群、糸球体症、乾癬、真性糖尿病、炎症、神経変性病、黄斑変性、紫外線角膜炎および過形成疾患からなる群から選択される病状を治療する医薬の製造における、請求項１〜３のいずれか一項に記載の化合物の使用。